(57)【要約】  間接光放射を供給するためのＬＥＤストリップが開示されている。前記ＬＥＤストリップは、上面に配設される複数のＬＥＤを有し、前記ＬＥＤストリップは、折り曲げられていない状態と、折り曲げられた状態とを有し、前記ＬＥＤストリップは、前記折り曲げられていない状態においては、実質的に平らである。前記ＬＥＤストリップは、第１側面と、前記第１側面の反対側の第２側面とを有し、前記第１側面及び前記第２側面は、前記折り曲げられていない状態においては、中央長手方向軸に対して平行である。前記折り曲げられた状態における前記ＬＥＤストリップは、複数の第１ループを有し、前記複数の第１ループは、少なくとも１つの開口部を有すると共に、前記ループの反射性内面の方へ光を放射するよう構成される、前記複数のＬＥＤのうちの少なくとも１つを具備し、それによって、前記反射性内面から反射される前記光の少なくとも一部は、各ループの前記少なくとも１つの開口部から出ることができる。
2020532069.tif 000002
【特許請求の範囲】
【請求項１】
上面と、前記上面の反対側の下面とを有する、間接光放射を供給するためのＬＥＤストリップであって、前記ＬＥＤストリップが、前記上面に配設される複数のＬＥＤを有し、前記ＬＥＤストリップが、折り曲げられていない状態と、折り曲げられた状態とを有し、前記ＬＥＤストリップが、前記折り曲げられていない状態においては、実質的に平らであり、中央長手方向軸に沿って延在し、前記ＬＥＤストリップが、第１側面と、前記第１側面の反対側の第２側面とを有し、前記第１側面及び前記第２側面が、前記折り曲げられていない状態においては、前記中央長手方向軸に対して平行であり、前記折り曲げられた状態における前記ＬＥＤストリップが、複数の第１ループを有し、前記複数の第１ループの各々が、少なくとも１つの開口部を有すると共に、前記ループの反射性内面の方へ光を放射するよう構成される、前記複数のＬＥＤのうちの少なくとも１つを具備し、それによって、前記反射性内面から反射される前記光の少なくとも一部が、前記複数の第１ループの各ループの前記少なくとも１つの開口部から出ることができ、それによって、間接光放射を供給するＬＥＤストリップ。
【請求項２】
前記ＬＥＤストリップの前記下面の一部が、前記ＬＥＤストリップを表面に取り付けるためのものであり、前記ＬＥＤストリップが、前記複数の第１ループの１ループごとに、前記上面が前記反射性内面を形成する状態でループが作成されるように、前記第１側面から延在し、前記折り曲げられた状態において前記第２側面を受けるよう構成される第１切り込みを具備する請求項１に記載のＬＥＤストリップ。
【請求項３】
前記ＬＥＤストリップが、前記複数の第１ループの１ループごとに、前記第２側面から延在する第２切り込みを具備し、前記第１切り込みが、前記上面が前記反射性内面を形成する状態でループが作成されるように前記折り曲げられた状態において前記第２切り込みを受けるよう構成される請求項２に記載のＬＥＤストリップ。
【請求項４】
前記ＬＥＤストリップが、前記中央長手方向軸に対して垂直な幅Ｗを有し、前記第１切り込みが、前記中央長手方向軸に対して垂直な方向に距離ｄ１前記ＬＥＤストリップ内へ延在し、前記第２切り込みが、前記中央長手方向軸に対して垂直な方向に距離ｄ２前記ＬＥＤストリップ内へ延在し、ｄ１とｄ２との合計が実質的にＷに等しい請求項３に記載のＬＥＤストリップ。
【請求項５】
少なくとも１つのループが、開始部分と、終了部分とを有し、前記開始部分の前記第１側面が、前記上面が前記反射性内面を形成する状態でループが作成されるように、前記折り曲げられた状態において前記終了部分の前記第２側面に隣接して配設される請求項２に記載のＬＥＤストリップ。
【請求項６】
前記複数の第１ループの各ループが、開始部分と、終了部分とを有し、１ループごとに、前記開始部分の前記第１側面が、前記上面が前記反射性内面を形成する状態でループが作成されるように、前記折り曲げられた状態において前記終了部分の前記第２側面に隣接して配設される請求項２に記載のＬＥＤストリップ。
【請求項７】
前記複数の第１ループの各ループが、開始部分と、終了部分とを有し、前記折り曲げられた状態における前記ＬＥＤストリップの中央軸が、前記折り曲げられていない状態における前記ＬＥＤストリップの前記中央長手方向軸と平行になるように、１ループおきに、前記開始部分の前記第１側面が、前記折り曲げられた状態において前記終了部分の前記第２側面に隣接して配設され、残りのループについては、前記開始部分の前記第２側面が、前記折り曲げられた状態において前記終了部分の前記第１側面に隣接して配設される請求項５に記載のＬＥＤストリップ。
【請求項８】
前記ＬＥＤストリップが、前記上面又は下面に複数の接着部を有する請求項１乃至７のいずれか一項に記載のＬＥＤストリップ。
【請求項９】
前記接着部が、前記ＬＥＤストリップの少なくとも一部にわたって、前記折り曲げられていない状態において隣接する２つの接着部の間に距離ｄ５を伴って均等に分布している請求項８に記載のＬＥＤストリップ。
【請求項１０】
前記距離ｄ５が、前記折り曲げられた状態における１つのループの周囲の長さ以上であり、且つ／又は前記折り曲げられていない状態における隣接する２つのＬＥＤの中央の間の距離以下である請求項９に記載のＬＥＤストリップ。
【請求項１１】
前記複数の第１ループのうちの少なくとも１つのループが、複数のＬＥＤを有する請求項１乃至１０のいずれか一項に記載のＬＥＤストリップ。
【請求項１２】
前記ＬＥＤストリップの前記上面の一部が、前記ＬＥＤストリップを表面に取り付けるためのものであり、前記複数の第１ループの各ループが、少なくとも２つの予め曲げられた部分を具備し、前記少なくとも２つの予め曲げられた部分が、折り曲げられていない状態においては距離ｄ３だけ、折り曲げられた状態においては距離ｄ４だけ、間隔をおいて配置され、ｄ４が、前記上面が前記反射性内面を形成する状態でループが作成されるように、ｄ３の25％未満、好ましくは10％未満である請求項１又は８乃至１１のいずれか一項に記載のＬＥＤストリップ。
【請求項１３】
第１の、請求項１２に記載のＬＥＤストリップと、前記第１のＬＥＤストリップを安定させるために、前記第１のＬＥＤストリップが折り曲げられた状態にあるときに、前記第１のＬＥＤストリップの上面の一部に取り付けるための第２のストリップとを有するシステム。
【請求項１４】
前記第２のストリップが、複数のＬＥＤを有する第２のＬＥＤストリップであり、前記第１のＬＥＤストリップの前記複数の第１ループの１ループごとに、第１の前記予め曲げられた部分、及び第２の前記予め曲げられた部分が、前記第２のＬＥＤストリップの前記複数のＬＥＤのうちのＬＥＤに当接する請求項１３に記載のシステム。
【請求項１５】
照明器具又は照明取り付け具が間接光放射を供給するように、前記折り曲げられた状態で配設されている、請求項１乃至１４のいずれか一項に記載のＬＥＤストリップ又はシステムを有する照明器具又は照明取り付け具。
【発明の詳細な説明】
【技術分野】
【０００１】
本発明は、間接光放射のためのＬＥＤストリップに関する。
【背景技術】
【０００２】
ますます多くのＬＥＤストリップが、小売店及び家などの様々な照明アプリケーションにおいて用いられるようになっている。それらはまた、電子機器と統合され、接続性などのような機能を増強している。
【０００３】
ＬＥＤは、一般に、可撓性の平らなＰＣＢ（プリント回路基板）の面のうちの１つに配置され、このことは、ほぼ全ての種類の支持物にこのような種類のＬＥＤストリップを配置することを非常に容易にする。ＬＥＤストリップの細長い設計は、それらを、非常に離散的にし、様々なアプリケーションに非常に実用的にする。ＬＥＤからの光の放射は、ＬＥＤがＬＥＤストリップに配置されているのと同じ方向である。それ故、このようなＬＥＤストリップによって生成される光は、直接光放射である。それ故、これらのＬＥＤストリップは、直接照明の目的に適したソリューションである。しかしながら、このような光放射は、非常に指向性があり、ＬＥＤストリップが配置されている環境に不快感をもたらし得ることから、他のアプリケーションの場合は、問題になり得る。直接照明はまた、覗き込むことが苦痛である場合があり、ＬＥＤストリップを見る被験者に目をくらませる作用がある場合がある。更に、直接照明では光は均等に分配されない。直接照明の問題を軽減するために、間接光放射を得るためのプロファイル又は照明器具に配設されたＬＥＤストリップを有する構成を持つ他の製品が設計されている。しかしながら、このような製品は高価であり、カスタマイズは実現困難である。更に、設けられる照明器具は扱いにくい場合があり、それによって、ＬＥＤストリップのコンパクトで適応性が高いという特徴が失われる。
【０００４】
それ故、上記のことを考慮すると、間接光放射を供給するためのＬＥＤストリップを設計することは課題である。
【発明の概要】
【発明が解決しようとする課題】
【０００５】
本発明の目的は、この課題を解決し、多くのスペースを取ることなく、単純で費用効果の高いやり方で間接光放射を供給することが可能なＬＥＤストリップを提供することである。
【課題を解決するための手段】
【０００６】
本発明の第１態様によれば、この及び他の目的は、上面と、前記上面の反対側の下面とを有する、間接光放射を供給するためのＬＥＤストリップであって、前記ＬＥＤストリップが、前記上面に配設される複数のＬＥＤを有し、前記ＬＥＤストリップが、折り曲げられていない状態と、折り曲げられた状態とを有し、前記ＬＥＤストリップが、前記折り曲げられていない状態においては、実質的に平らであり、中央長手方向軸に沿って延在し、前記ＬＥＤストリップが、第１側面と、前記第１側面の反対側の第２側面とを有し、前記第１側面及び前記第２側面が、前記折り曲げられていない状態においては、前記中央長手方向軸に対して平行であり、前記折り曲げられた状態における前記ＬＥＤストリップが、複数の第１ループを有し、前記複数の第１ループの各ループが、少なくとも１つの開口部を有すると共に、前記ループの反射性内面の方へ光を放射するよう構成される、前記複数のＬＥＤのうちの少なくとも１つを具備し、それによって、前記反射性内面から反射される前記光の少なくとも一部が、前記複数の第１ループの各ループの前記少なくとも１つの開口部から出ることができ、それによって、間接光放射を供給するＬＥＤストリップを提供することによって、達成される。
【０００７】
前記中央長手方向軸は、前記ＬＥＤストリップの対称軸を形成するように中央に配置され、前記ＬＥＤストリップの長手方向に延びる軸として定義される。それによって、単純で効果的なやり方で間接光放射を生成することが可能なＬＥＤストリップが提供される。これは、前記ＬＥＤストリップを、間接光放射が好ましい、任意の環境において、任意のプリケーションのために、用いることを可能にする。
【０００８】
前記ＬＥＤストリップを最初の折り曲げられていない状態で供給することによって、前記ＬＥＤストリップは、非常にコンパクトなようにして梱包されることができ、このことは、前記ＬＥＤストリップの輸送及び梱包を容易にすることを可能にする。前記ＬＥＤストリップの前記折り曲げられた状態は、前記ユーザにとって望ましい時点に実現されることができ、このことは、前記ＬＥＤストリップの使用を柔軟にする。前記ＬＥＤストリップは、前記折り曲げられた状態において、ＬＥＤを具備しない１つ以上のループを有し得る。
【０００９】
実施例においては、前記折り曲げられた状態における前記ＬＥＤストリップは、複数のループを有し、前記複数の第１ループは、前記複数のループの少なくとも60%を占め、好ましくは、前記複数の第１ループは、前記複数のループの少なくとも80%を占め、より好ましくは、前記複数の第１ループは、前記複数のループの少なくとも90%を占め、例えば、前記複数の第１ループは、前記複数のループの100%を占めてもよい。
【００１０】
実施例においては、前記反射性内面は、少なくとも30%、より好ましくは、少なくとも40%、最も好ましくは、少なくとも50%の反射率を有し得る。前記反射率は、例えば、80%の反射率であってもよい。前記反射性内面は部分的に透過性であってもよい。
【００１１】
前記反射性内面は、例えば、シリコーン、ＰＥＴ、ＰＣ、又はＰＭＭＡのような透明なマトリックス支持物の中に、酸化アルミニウム（Al2O3）、硫酸バリウム（BaSO4）、及び／又は酸化チタン（TiO2）のような散乱粒子を有することによって、半透明であってもよい。他の実施例においては、前記反射性内面は、鏡面反射性であってもよいが、それでも、透明であってもよい。例えば、アルミニウムなどの反射材料の薄い層が、表面基板に施されてもよく、それによって、前記層は、反射性であるが、実質的に透明になるのに十分に薄い。
【００１２】
前記ＬＥＤは、前記ＬＥＤストリップに沿って均一な光分布が得られ得るように、均等に又は均一に分布していてもよい。
【００１３】
実施例においては、前記ＬＥＤストリップの前記下面の一部は、前記ＬＥＤストリップを表面に取り付けるためのものであり、前記ＬＥＤストリップは、前記複数の第１ループの１ループごとに、前記上面が前記反射性内面を形成する状態でループが作成されるように、前記第１側面から延在し、前記折り曲げられた状態において前記第２側面を受けるよう構成される第１切り込みを具備する。
【００１４】
前記ＬＥＤストリップを表面に取り付けるための部分を前記ＬＥＤストリップに設けることによって、前記ＬＥＤストリップを任意の適切な支持面に取り付けることが可能になる。更に、１ループごとに設けられる切り込みは、前記ＬＥＤストリップが、より容易なようにして折り曲げられ、実質的に固定された位置において前記ループの形状を保つことを可能にする。
【００１５】
実施例においては、前記ＬＥＤストリップは、前記複数の第１ループの１ループごとに、前記第２側面から延在する第２切り込みを具備し、前記第１切り込みは、前記上面が前記反射性内面を形成する状態でループが作成されるように前記折り曲げられた状態において前記第２切り込みを受けるよう構成される。
【００１６】
第１切り込みと係合するよう構成される第２切り込みを前記ＬＥＤストリップに設けることによって、前記折り曲げられた状態において作成される前記ループは、更に固定された位置に実質的に固定される。更に、それは、依然として、固定位置を有しながら、前記第１及び第２切り込みを、より小さくし、それほど長く延在しないようにすることを可能にする。
【００１７】
実施例においては、前記ＬＥＤストリップは、前記中央長手方向軸に対して垂直な幅Ｗを有し、前記第１切り込みは、前記中央長手方向軸に対して垂直な方向に距離ｄ１前記ＬＥＤストリップ内へ延在し、前記第２切り込みは、前記中央長手方向軸に対して垂直な方向に距離ｄ２前記ＬＥＤストリップ内へ延在し、ｄ１とｄ２との合計は、実質的にＷに等しい。それによって、前記折り曲げられた状態において前記ＬＥＤストリップの前記幅を超えないループを有するＬＥＤストリップが供給される。第１及び第２切り込みの距離の合計が前記ＬＥＤストリップの前記幅Ｗに等しくなるように延在する前記第１及び第２切り込みを前記ＬＥＤストリップに設けることによって、前記ループは、前記折り曲げられた状態において前記ＬＥＤストリップ前記の幅を超えないものとなる。
【００１８】
実施例においては、少なくとも１つのループは、開始部分と、終了部分とを有し、前記開始部分の前記第１側面は、前記上面が前記反射性内面を形成する状態でループが作成されるように、前記折り曲げられた状態において前記終了部分の前記第２側面に隣接して配設される。
【００１９】
前記開始部分の前記第１側面は、前記終了部分の前記第２側面に当接してもよい。
本発明による実施例においては、前記複数の第１ループの各ループは、開始部分と、終了部分とを有し、１ループごとに、前記開始部分の前記第１側面は、前記上面が前記反射性内面を形成する状態でループが作成されるように、前記折り曲げられた状態において前記終了部分の前記第２側面に隣接して配設される。
【００２０】
それによって、１ループごとに幅Ｗだけシフトされるループを有するＬＥＤストリップが提供され、故に、前記ＬＥＤストリップは、前記中央長手方向軸Ｌに対して実質的に傾斜している。
【００２１】
実施例においては、前記複数の第１ループの各ループが、開始部分と、終了部分とを有し、前記折り曲げられた状態における前記ＬＥＤストリップの中央軸が、前記折り曲げられていない状態における前記ＬＥＤストリップの前記中央長手方向軸と平行になるように、１ループおきに、前記開始部分の前記第１側面が、前記折り曲げられた状態において前記終了部分の前記第２側面に隣接して配設され、残りのループについては、前記開始部分の前記第２側面が、前記折り曲げられた状態において前記終了部分の前記第１側面に隣接して配設される。
【００２２】
それによって、前記ＬＥＤストリップが実質的に真っ直ぐになるように幅Ｗシフトされるループを有するＬＥＤストリップが提供される。
【００２３】
本発明の実施例においては、前記ＬＥＤストリップは、前記上面又は下面に複数の接着部を有する。
【００２４】
本発明の実施例においては、前記接着部は、前記ＬＥＤストリップの少なくとも一部にわたって、前記折り曲げられていない状態において隣接する２つの接着部の間に距離ｄ５を伴って均等に分布している。
【００２５】
前記距離ｄ５は、図２４ｂにおいて示されているような、隣接する２つの接着部の間の最短距離として定義される。
【００２６】
本発明の実施例においては、前記距離ｄ５は、前記折り曲げられた状態における１つのループの周囲の長さ以上である。
【００２７】
本発明の実施例においては、前記距離ｄ５は、前記折り曲げられていない状態における隣接する２つのＬＥＤの中央の間の距離以下である。
【００２８】
本発明の実施例においては、前記複数の接着部は、少なくとも１つの前記接着部を露出するために取り外されるよう構成される取り外し可能なフィルムによって保護される。
【００２９】
前記接着部は、接着剤のものであってもよく、前記支持面に応じて様々なタイプの接着剤が用いられ得る。
【００３０】
前記接着部は、前記折り曲げられた状態において支持面に接触するように配設されている。
【００３１】
本発明の実施例においては、前記複数の第１ループのうちの少なくとも１つのループは、複数のＬＥＤを有する。
【００３２】
それによって、より多くの光が、前記ループの前記反射性内面によって反射されることができ、前記より多くの光は、様々な方向に、様々な角度で、反射され得る。
【００３３】
本発明の実施例においては、前記複数のＬＥＤのうちの少なくとも２つは、異なる色又は色温度のものである。
【００３４】
前記複数のＬＥＤは、異なる色を混合することによって任意の色の組み合わせが供給され得るようなＲＧＢ ＬＥＤであってもよい。
【００３５】
環境において様々な色温度で様々な雰囲気を作成するよう様々な色が供給され得る。
【００３６】
実施例においては、前記ＬＥＤストリップの前記上面の一部は、前記ＬＥＤストリップを表面に取り付けるためのものであり、各ループは、少なくとも２つの予め曲げられた部分を具備し、前記少なくとも２つの予め曲げられた部分は、折り曲げられていない状態においては距離ｄ３だけ、折り曲げられた状態においては距離ｄ４だけ、間隔をおいて配置され、ｄ４は、前記上面が前記反射性内面を形成する状態でループが作成されるように、ｄ３の25％未満、好ましくは10％未満である。
【００３７】
前記予め曲げられた部分は、前記ＬＥＤストリップをひっくり返す必要なしに、前記ＬＥＤストリップの前記上面がループの前記反射内面を形成するように、ループを供給することを可能にする。
【００３８】
本発明は、第２態様によれば、先の実施例による第１ＬＥＤストリップと、前記第１ＬＥＤストリップを安定させるために、前記第１ＬＥＤストリップが折り曲げられた状態にあるときに、前記第１ＬＥＤストリップの前記上面の一部に取り付けるための第２ストリップとを有するシステムに関する。
【００３９】
実施例においては、前記第２ストリップは、複数のＬＥＤを有する第２ＬＥＤストリップであり、前記第１ＬＥＤストリップの前記複数の第１ループの１ループごとに、第１の前記予め曲げられた部分、及び第２の前記予め曲げられた部分が、前記第２ＬＥＤストリップの前記複数のＬＥＤのうちのＬＥＤに当接する。
【００４０】
それによって、前記複数の第１ループの各ループに複数のＬＥＤが設けられ、それによって、より多くの光が、前記ループの前記反射性内面によって反射され得る。更に、様々な方向に、様々な角度で、光が反射され得る。
【００４１】
実施例においては、照明器具又は照明取り付け具は、前記照明器具又は照明取り付け具が間接光放射を供給するように、前記折り曲げられた状態で配設されている、本発明によるＬＥＤストリップ又はシステムを有する。
【００４２】
前記照明器具は、電球、又は任意のタイプの照明取り付け具であり得る。
【００４３】
本発明は、請求項において列挙されている特徴の全てのあり得る組み合わせに関することに注意されたい。
【図面の簡単な説明】
【００４４】
ここで、本発明の実施例を示す添付の図面を参照して、本発明のこの及び他の態様についてより詳細に記載する。
【図１ａ】中央長手方向軸が示されている、複数のＬＥＤを備える、折り曲げられていない状態における、本発明による実施例におけるＬＥＤストリップの上面図を示す。
【図１ｂ】図１において示されているＬＥＤストリップの側面図を示す。
【図２ａ】複数の第１ループを有し、各ループが、少なくとも１つの開口部を有し、複数のＬＥＤを具備する実施例における、折り曲げられた状態における本発明によるＬＥＤストリップの側面図を示す。
【図２ｂ】光がループの両側の開口部から出る実施例における、図２ａにおいて示されているＬＥＤストリップの上面図を示す。
【図３】それぞれ第１及び第２側面から延在する第１及び第２切り込みを有する実施例における、複数のＬＥＤを備える、折り曲げられていない状態における、本発明による実施例におけるＬＥＤストリップの上面図を示す。
【図４】それぞれ第１及び第２側面から延在する別のタイプの第１及び第２切り込みを有する実施例における、複数のＬＥＤを備える、折り曲げられていない状態における、本発明による実施例におけるＬＥＤストリップの上面図を示す。
【図５】ストリップの寸法を示す、図３において示されているＬＥＤストリップの一部の上面図を示す。
【図６】様々な形状の複数の第１ループを有する実施例における、折り曲げられた状態における本発明によるＬＥＤストリップの側面図を示す。
【図７】ループ内の様々な場所に配置されるＬＥＤを有する複数の第１ループを有する実施例における、折り曲げられた状態における本発明によるＬＥＤストリップの側面図を示す。
【図８ａ】側面発光ＬＥＤを有する複数の第１ループを有する実施例における、折り曲げられた状態における本発明によるＬＥＤストリップの側面図を示す。
【図８ｂ】側面発光ＬＥＤから放射される光がループの異なる開口部から出る実施例における、図８ａにおいて示されているＬＥＤストリップの上面図を示す。
【図９】各ループ内に複数のＬＥＤを有する複数の第１ループを有する実施例における、折り曲げられた状態における本発明によるＬＥＤストリップの側面図を示す。
【図１０】各第１ループ内の複数のＬＥＤが異なる色のものである実施例における、図９において示されているＬＥＤストリップを示す。
【図１１】ループが変動ピッチで配設される複数の第１ループを有する実施例における、折り曲げられた状態における本発明によるＬＥＤストリップの側面図を示す。
【図１２】ループが互いに接触するように変動ピッチで配設される複数の第１ループを有する実施例における、折り曲げられた状態における本発明によるＬＥＤストリップの側面図を示す。
【図１３】予め曲げられた部分が示されている、折り曲げられていない状態における本発明による実施例におけるＬＥＤストリップの一部の上面図を示す。
【図１４】予め曲げられた部分を有し、ＬＥＤストリップの上面の一部が、ＬＥＤストリップを取り付けるためのものである実施例における、折り曲げられた状態における本発明によるＬＥＤストリップの側面図を示す。
【図１５】本発明の第１態様による第１ＬＥＤストリップと、第１ＬＥＤストリップを安定させるために第１ＬＥＤストリップの上面の一部に取り付けられる第２ストリップとを有する実施例における、本発明の第２態様によるシステムの側面図を示す。
【図１６】第２ストリップが、複数のＬＥＤを有し、第１ＬＥＤストリップの複数の第１ループの１ループごとに、第１の予め曲げられた部分、及び第２の予め曲げられた部分が、第２ＬＥＤストリップの複数のＬＥＤのうちのＬＥＤに当接する実施例における、図９において示されているシステムを示す。
【図１７】複数の第１ループの各第１ループが、開始部分と、終了部分とを有し、１ループごとに、開始部分の第１側面が、上面が反射性内面を形成する状態でループが作成されるように、折り曲げられた状態において終了部分の第２側面に隣接して配設され、それによって、ＬＥＤストリップが、１ループごとに幅Ｗシフトされるループを有し、故に、ＬＥＤストリップが、中央長手方向軸Ｌに対して実質的に傾斜している、複数のループを備える、折り曲げられた状態における本発明による実施例におけるＬＥＤストリップの上面図を示す。
【図１８】ループの開始部分及び終了部分が示されている、図１７において示されているＬＥＤストリップのＡからＢまでの部分の斜視図を示す。
【図１９】開始部分と終了部分とを有する複数の第１ループを備える、折り曲げられた状態におけるＬＥＤストリップの中央軸が、折り曲げられていない状態におけるＬＥＤストリップの中央長手方向軸と平行になるように、１ループおきに、開始部分の第１側面が、折り曲げられた状態において終了部分の第２側面に隣接して配設され、残りのループについては、開始部分の第２側面が、折り曲げられた状態において終了部分の第１側面に隣接して配設される、折り曲げられた状態における本発明による実施例におけるＬＥＤストリップの上面図を示す。
【図２０】ループの開始部分及び終了部分が示されている、図１において示されているＬＥＤストリップのＡからＢまでの部分の斜視図を示す。
【図２１】本発明の実施例によるＬＥＤストリップを有する電球の概略図を示す。
【図２２】本発明の実施例によるＬＥＤストリップを有する光エンジンの概略図を示す。
【図２３】本発明の実施例によるＬＥＤストリップを有する照明器具の概略図を示す。
【図２４ａ】複数のＬＥＤを備える、折り曲げられていない状態における本発明の実施例によるＬＥＤストリップの上面の平面図を示す。
【図２４ｂ】複数の接着部を備える、折り曲げられていない状態における本発明の実施例によるＬＥＤストリップの下面の平面図を示す。
【図２４ｃ】図２４ｂにおいて示されているＬＥＤストリップの側面図を示す。
【発明を実施するための形態】
【００４５】
以下、本発明の現在好ましい実施例が示されている添付図面を参照して、本発明をより詳細に説明する。しかしながら、本発明は、多くの異なる形態で実施されてもよく、本願明細書に記載されている実施例に限定されるものとして解釈されるべきではない。もっと正確に言えば、これらの実施例は、完全及び完璧を期すために示されており、当業者に本発明の範囲を十分に伝える。
【００４６】
図１ａは、中央長手方向軸Ｌが示されている、複数のＬＥＤ１２０を備える、折り曲げられていない状態における、本発明によるＬＥＤストリップ１００の実施例の上面図を示している。本発明による、間接光放射を供給するためのＬＥＤストリップ１００は、一般に、上面１０２と、上面１０２の反対側の下面１０４とを有する。ＬＥＤストリップ１００は、上面１０２に配設される複数のＬＥＤ１２０を更に有する。ＬＥＤストリップ１００は、図１ａ及び１ｂにおいて示されている折り曲げられていない状態と、図２ａ及び２ｂにおいて示されている折り曲げられた状態とを有する。ＬＥＤストリップ１００は、折り曲げられていない状態においては、実質的に平らであり、中央長手方向軸Ｌに沿って延在する。ＬＥＤストリップは、第１側面１０８と、第１側面１０８の反対側の第２側面１１０とを有し、第１側面１０８及び第２側面１１０は、折り曲げられていない状態においては、中央長手方向軸Ｌに対して平行である。
【００４７】
ＬＥＤストリップ１００は、図２ａにおいて見られ得るように、折り曲げられた状態においては、複数の第１ループ２３０を有する。複数の第ループの各ループ２３０は、少なくとも１つの開口部２３２を有すると共に、ループ２３０の反射性内面２３４の方へ光を放射するよう構成される、複数のＬＥＤ１２０のうちの少なくとも１つを具備する。反射性内面２３４から反射される光の少なくとも一部は、各ループ２３０の少なくとも１つの開口部２３２から出ることができる。それによって、間接光放射が供給される。
【００４８】
図３、４及び５において示されている実施例においては、ＬＥＤストリップ１００の下面１０４の一部は、ＬＥＤストリップを表面（図示せず）に取り付けるためのものである。ＬＥＤストリップ１００は、複数の第１ループ２３０の各ループのために、上面１０２が反射性内面を形成する状態でループ２３０が作成されるように、第１側面１０８から延在し、折り曲げられた状態において第２側面１１０を受けるよう構成される第１切り込み３４０を具備する。
【００４９】
実施例においては、ＬＥＤストリップ１００は、複数の第１ループ２３０の各ループ２３０のために、第２側面１１０から延在する第２切り込み３４２を具備する。第１切り込み３４０は、上面１０２が反射性内面２３２を形成する状態でループ２３０が作成されるように折り曲げられた状態において第２切り込み３４２を受けるよう構成される。
【００５０】
図５は、本発明の実施例における、ストリップの寸法を示す、図３において示されているＬＥＤストリップの一部の上面図を示している。ＬＥＤストリップ１００は、中央長手方向軸Ｌに対して垂直な幅Ｗを有する。第１切り込み３４０は、中央長手方向軸Ｌに対して垂直な方向に距離ｄ１、ＬＥＤストリップ１００内へ延在し、第２切り込み３４２は、中央長手方向軸Ｌに対して垂直な方向に距離ｄ２、ＬＥＤストリップ１００内へ延在する。ｄ１とｄ２との合計はＷに等しい。
【００５１】
図６は、様々な形状の複数の第１ループ２３０を有する実施例における、折り曲げられた状態における本発明によるＬＥＤストリップ１００の側面図を示している。ループ２３０の形状は、円形、長円形、正方形又は六角形であり得る。
【００５２】
図７は、ループ内の様々な場所に配置される複数のＬＥＤ１２０を有する複数の第１ループ２３０を有する実施例における、折り曲げられた状態における本発明によるＬＥＤストリップ１００の側面図を示している。ＬＥＤ１２０の様々な位置は、光を様々な角度で反射し、異なる照明を作成することを可能にする。
【００５３】
図８ａは、側面発光ＬＥＤ１２０を有する複数の第１ループ２３０を有する実施例における、折り曲げられた状態における本発明によるＬＥＤストリップ１００の側面図を示している。
【００５４】
図８ｂにおいては、側面発光ＬＥＤ１２０から放射される光がループ２３０の異なる開口部２３２から出る実施例における、図８ａにおいて示されているＬＥＤストリップの上面図が示されている。
【００５５】
図９において示されている本発明の実施例においては、複数の第１ループ２０３のうちの少なくとも１つのループは複数のＬＥＤを有する。
【００５６】
それによって、より多くの光が、ループ２３０の反射性内面２３４によって反射されることができ、前記より多くの光は、様々な方向に、様々な角度で、反射され得る。
【００５７】
図９において示されているＬＥＤストリップ１００の図１０において示されている実施例においては、各第１ループ２３０内の複数のＬＥＤ１２０は、異なる色又は色温度のものである。
【００５８】
複数のＬＥＤは、異なる色を混合することによって任意の色の組み合わせが供給され得るようなＲＧＢ ＬＥＤであってもよい。
【００５９】
図１１は、ループ２３０が変動ピッチで配設される複数の第１ループ２３０を有する実施例における、折り曲げられた状態における本発明によるＬＥＤストリップ１００の側面図を示している。
【００６０】
図１２は、ループ２３０が互いに接触するようなピッチで配設される複数の第１ループ２３０を有する実施例における、折り曲げられた状態における本発明によるＬＥＤストリップ１００の側面図を示している。
【００６１】
実施例においては、ＬＥＤストリップ１００の上面１０２の一部は、ＬＥＤストリップ１００を表面（図示せず）に取り付けるためのものである。複数の第１ループの各ループ２３０は、２つの予め曲げられた部分３５０を具備し、２つの予め曲げられた部分３５０は、図１３において示されている折り曲げられていない状態においては距離ｄ３だけ、図１４において示されている折り曲げられた状態においては距離ｄ４だけ、間隔をおいて配置される。ｄ４は、図１４において見られ得るように上面１０２が反射性内面２３４を形成する状態でループ２３０が作成されるように、ｄ３の25％未満、好ましくは10％未満である。
【００６２】
図１７及び図１８において示されている本発明の実施例においては、複数の第１ループ２３０の各ループ２３０が、開始部分Ｓと、終了部分Ｅとを有する。１ループ２３０ごとに、開始部分Ｓの第１側面１０８は、上面１０２が反射性内面２３４を形成する状態でループ２３０が作成されるように、折り曲げられた状態において終了部分Ｅの第２側面１１０に隣接して配設される。
【００６３】
それによって、１ループ２３０ごとに幅Ｗシフトされるループを有するＬＥＤストリップ１００が提供され、故に、ＬＥＤストリップ１００は、中央長手方向軸Ｌに対して実質的に傾斜している。
【００６４】
図１９及び図２０において示されている本発明の実施例においては、複数の第１ループ２３０の各ループ２３０が、開始部分Ｓと、終了部分Ｅとを有する。折り曲げられた状態におけるＬＥＤストリップの中央軸が、折り曲げられていない状態におけるＬＥＤストリップ１００の中央長手方向軸Ｌと平行になるように、１ループおきに、開始部分Ｓの第１側面１０８が、折り曲げられた状態において終了部分Ｅの第２側面１１０に隣接して配設され、残りのループについては、開始部分Ｓの第２側面１１０が、折り曲げられた状態において終了部分Ｅの第１側面１０８に隣接して配設される。
【００６５】
それによって、ＬＥＤストリップが実質的に真っ直ぐになるように幅Ｗシフトされるループ２３０を有するＬＥＤストリップ１００が提供される。
【００６６】
図１５及び１６において示されている本発明の第２態様の実施例によれば、図１４において示されている実施例による第１ＬＥＤストリップ１００と、第１ＬＥＤストリップ１００を安定させるために、第１ＬＥＤストリップ１００が折り曲げられた状態にあるときに、第１ＬＥＤストリップ１００の上面１０２の一部に取り付けられる第２ストリップ４６０とを有するシステム３００が提供される。
【００６７】
図１６において示されている本発明の実施例においては、第２ストリップ４６０は、複数のＬＥＤ１２０を有する第２ＬＥＤストリップ４６０である。第１の予め曲げられた部分３５０、及び第２の予め曲げられた部分３５０が、第２ＬＥＤストリップ４６０の複数のＬＥＤのうちのＬＥＤ１２０に当接する。
【００６８】
それによって、各第１ループ内に複数のＬＥＤ１２０が設けられ、それによって、より多くの光が、ループ２３０の反射性内面２３４によって反射され得る。更に、様々な方向に、様々な角度で、光が反射され得る。
【００６９】
図２４ａ、２４ｂ及び２４ｃにおいて示されている本発明の実施例においては、ＬＥＤストリップ１００は、下面１０４に複数の接着部２８０を有する。
【００７０】
図２４ａは、複数のＬＥＤ１２０を備える、折り曲げられていない状態における本発明の実施例によるＬＥＤストリップ１００の上面１０２を示している。
【００７１】
図２４ｂは、複数の接着部２８０を備える、折り曲げられていない状態における本発明の実施例によるＬＥＤストリップ１００の下面１０４を示している。
【００７２】
図２４ｃは、図２４ａ及び２４ｂにおいて示されているＬＥＤストリップ１００の側面図を示しており、ＬＥＤ１２０と接着部２８０との両方が見られ得る。
【００７３】
本発明の実施例においては、接着部２８０は、ＬＥＤストリップ１００の少なくとも一部にわたって、折り曲げられていない状態において隣接する２つの接着部２８０の間に距離ｄ５を伴って均等に分布している。距離ｄ５は、図２４ｂにおいて示されているような、隣接する２つの接着部２８０の間の最短距離として定義される。
【００７４】
本発明の実施例においては、距離ｄ５は、折り曲げられた状態における１つのループ２３０の周囲の長さ以上である。
【００７５】
本発明の実施例においては、距離ｄ５は、折り曲げられていない状態における隣接する２つのＬＥＤ１２０の中央の間の距離以下である。
【００７６】
本発明の実施例においては、複数の接着部２８０は、接着部２８０を露出するために取り外されるよう構成される取り外し可能なフィルム（図示せず）によって保護される。
図２１、図２２、及び図２３において示されている実施例においては、照明器具又は照明取り付け具８００は、照明器具８００が間接光放射を供給するように、折り曲げられた状態で配設されている、本発明によるＬＥＤストリップ１００を具備する。
【図１ａ】
2020532069.tif 000003
【図１ｂ】
2020532069.tif 000004
【図２ａ】
2020532069.tif 000005
【図２ｂ】
2020532069.tif 000006
【図３】
2020532069.tif 000007
【図４】
2020532069.tif 000008
【図５】
2020532069.tif 000009
【図６】
2020532069.tif 000010
【図７】
2020532069.tif 000011
【図８ａ】
2020532069.tif 000012
【図８ｂ】
2020532069.tif 000013
【図９】
2020532069.tif 000014
【図１０】
2020532069.tif 000015
【図１１】
2020532069.tif 000016
【図１２】
2020532069.tif 000017
【図１３】
2020532069.tif 000018
【図１４】
2020532069.tif 000019
【図１５】
2020532069.tif 000020
【図１６】
2020532069.tif 000021
【図１７】
2020532069.tif 000022
【図１８】
2020532069.tif 000023
【図１９】
2020532069.tif 000024
【図２０】
2020532069.tif 000025
【図２１】
2020532069.tif 000026
【図２２】
2020532069.tif 000027
【図２３】
2020532069.tif 000028
【図２４ａ】
2020532069.tif 000029
【図２４ｂ】
2020532069.tif 000030
【図２４ｃ】
2020532069.tif 000031
【国際調査報告】
2020532069.tif 000032
2020532069.tif 000033